(57)【要約】【課題】巻取パイプと、この巻取パイプを支持する枠体の下面との間の隙間からの光漏れを抑制する光漏れ防止部材を有するロールスクリーンを提供する。【解決手段】本発明のロールスクリーン１は、スクリーン４を昇降させて室内への採光量を調節可能とし、スクリーン４を巻き取り可能に吊下支持する巻取パイプ３と、巻取パイプ３を支持する取付フレーム２及び支持部材２ａ，２ｂと、巻取パイプ３と取付フレーム２との間の隙間から生じる光漏れを抑制する光漏れ防止部材９とを備える。光漏れ防止部材９は、スクリーン４の下端に設けられたウェイトバー５に非接触となるよう、スクリーン４の最大巻取径Ｗｍを超えない範囲で移動可能に取付フレーム２又は支持部材２ａ，２ｂに支持されている。【選択図】図２
2016211361.tif 000002
【特許請求の範囲】
【請求項１】
スクリーンを昇降可能とするロールスクリーンであって、
スクリーンを巻き取り可能に吊下支持する巻取手段と、
前記巻取手段を支持する固定手段と、
前記巻取手段と前記固定手段との間の隙間から生じる光漏れを抑制する光漏れ防止部材とを備え、
前記光漏れ防止部材は、前記スクリーンの下端に設けられた錘部材に非接触となるよう、前記スクリーンの最大巻取径を超えない範囲で前記固定部材に支持されていることを特徴とするロールスクリーン。
【請求項２】
前記光漏れ防止部材は、その基端部で前記固定手段の下面側で回動可能に軸支され、前記固定手段と対向する面とは反対の面で前記巻取手段の周面上のスクリーンと当接可能に構成されていることを特徴とする、請求項１に記載のロールスクリーン。
【請求項３】
前記光漏れ防止部材は、その基端部で前記固定手段の下面側端部縁近傍にて回動可能に軸支され、その先端部で、又は前記固定手段と対向する面で前記巻取手段の周面上のスクリーンと当接可能に構成されていることを特徴とする、請求項１に記載のロールスクリーン。
【請求項４】
前記光漏れ防止部材は、その本体部で前記固定手段の下面開口部にて略上下方向に移動可能に支持され、その先端部で前記巻取手段の周面上のスクリーンと当接可能に構成されていることを特徴とする、請求項１に記載のロールスクリーン。
【請求項５】
前記固定手段は、前記光漏れ防止部材の直線移動又は回動移動を支持する係合支持部を有することを特徴とする、請求項１から４のいずれか一項に記載のロールスクリーン。
【請求項６】
前記光漏れ防止部材は、前記光漏れ防止部材の移動軌跡又は回転軌跡が前記錘部材の移動軌跡に重ならないように、巻取られる当該スクリーンに接触可能に構成され、
前記錘部材が前記固定手段又は前記固定手段に取着された固定物に対し当接することにより当該スクリーンの巻取りが阻止可能に構成されていることを特徴とする、請求項１から５のいずれか一項に記載のロールスクリーン。
【請求項７】
前記光漏れ防止部材は、前記固定手段に対して基端部が回動可能に軸支されて吊下され、
該光漏れ防止部材が軸支される基端部の回動軸が、前記固定手段の側断面にて前記巻取手段の回転中心より非吊下側に設けられ、
前記光漏れ防止部材の先端部の回転軌跡が前記固定手段の外縁より中心側に収まるようフレーム外縁より中心側に収まるよう構成されていることを特徴とする、請求項６に記載のロールスクリーン。
【請求項８】
前記光漏れ防止部材は、前記固定手段に対して基端部が回動可能に軸支されて吊下され、
該光漏れ防止部材が軸支される基端部の回動軸が、前記固定手段の側断面にて前記巻取手段の回転中心より吊下側に設けられ、
前記漏れ防止部材が軸支される基端部が前記固定手段の内部に配置され、前記光漏れ防止部材の先端部の回転軌跡が前記固定手段の外縁より中心側に収まるようフレーム外縁より中心側に収まるよう構成されていることを特徴とする、請求項６に記載のロールスクリーン。
【請求項９】
スクリーンを昇降可能とするロールスクリーンであって、
スクリーンを巻き取り可能に吊下支持する巻取手段と、
前記巻取手段を支持する固定手段と、
前記巻取手段と前記固定手段との間の隙間から生じる光漏れを抑制する光漏れ防止部材とを備え、
前記光漏れ防止部材は、上下方向に直線移動可能に前記固定手段に支持されていることを特徴とするロールスクリーン。
【請求項１０】
スクリーンを昇降可能とするロールスクリーンであって、
スクリーンを巻き取り可能に吊下支持する巻取手段と、
前記巻取手段を支持する固定手段と、
前記巻取手段と前記固定手段との間の隙間から生じる光漏れを抑制する光漏れ防止部材とを備え、
前記光漏れ防止部材は、前記固定手段に対し当該光漏れ防止部材の遮蔽面が出没可能に支持されていることを特徴とするロールスクリーン。
【請求項１１】
前記光漏れ防止部材の先端部が、前記スクリーンの巻き取りに伴い前記固定手段の内部に没入するよう構成されている特徴とする、請求項１０に記載のロールスクリーン。
【請求項１２】
スクリーンを昇降可能とするロールスクリーンであって、
スクリーンを巻き取り可能に吊下支持する巻取手段と、
前記巻取手段を支持する固定手段と、
前記巻取手段と前記固定手段との間の隙間から生じる光漏れを抑制する光漏れ防止部材とを備え、
前記光漏れ防止部材は、前記固定手段に対し移動可能に構成され、且つ前記固定手段との分離を防止する抜け止め構造を有することを特徴とするロールスクリーン。
【請求項１３】
前記光漏れ防止部材は、前記スクリーンの巻き取りに伴い弾性変形可能に構成されていることを特徴とする、請求項１２に記載のロールスクリーン。
【請求項１４】
スクリーンを昇降可能とするロールスクリーンであって、
スクリーンを巻き取り可能に吊下支持する巻取手段と、
前記巻取手段を支持する固定手段と、
前記巻取手段と前記固定手段との間の隙間を遮蔽可能な複層構造の隙間遮蔽部材と、
を備えることを特徴とするロールスクリーン。
【請求項１５】
前記複層構造の隙間遮蔽部材は、前後方向に並設される複数の光漏れ防止部材で構成されていることを特徴とする、請求項１４に記載のロールスクリーン。
【請求項１６】
前記複層構造の隙間遮蔽部材は、１以上の空間部を有する単一の光漏れ防止部材で構成されていることを特徴とする、請求項１４に記載のロールスクリーン。
【請求項１７】
前記光漏れ防止部材は、前記固定手段に対し直接又は間接的に回動可能に支持されていることを特徴とする、請求項１５又は１６に記載のロールスクリーン。
【請求項１８】
前記光漏れ防止部材は、可撓性材料で構成され、その上端が前記固定手段に対し直接又は間接的に回動不能に支持されていることを特徴とする、請求項１５又は１６に記載のロールスクリーン。
【発明の詳細な説明】
【技術分野】
【０００１】
本発明は、スクリーンを昇降させて室内への採光量を調節可能とするロールスクリーンに関する。
【背景技術】
【０００２】
従来、スクリーンを昇降させて室内への採光量を調節可能とするロールスクリーンがある。
【０００３】
ロールスクリーンは、天井面等の取付面に対してブラケットを介して取着された枠体（例えば取付フレーム）により巻取パイプを支持し、スクリーンの上縁部を巻取パイプに取着して垂下させ、巻取パイプによってスクリーンの巻取り又は巻戻しを行うことにより室内への採光量を調節可能に構成される。
【０００４】
そこで、スクリーンを巻き取る巻取軸（即ち、巻取パイプ）と、この巻取パイプを支持する枠体の下面との間の隙間からの光漏れを防止するために、枠体の下面に基端縁を回動可能に支持して巻取パイプの周面上に垂下させる隙間防止部材を設ける技法が開示されている（例えば、特許文献１参照）。
【０００５】
また、スクリーンを巻き取る巻取パイプと、この巻取パイプを支持する枠体の下面との間の隙間からの光漏れを防止するために、枠体の前側面に端部を搖動可能に支持する隙間防止部材を設ける技法が開示されている（例えば、特許文献２参照）。
【先行技術文献】
【特許文献】
【０００６】
【特許文献１】実公平４−４８３１６号公報
【特許文献２】特開２０１３−１３６９００号公報
【発明の概要】
【発明が解決しようとする課題】
【０００７】
前述した特許文献１に開示される技法では、当該隙間防止部材により巻取軸と枠体（即ち、取付フレーム）の下面との間の隙間を塞ぐことができるため、スクリーンを下降させて遮蔽状態としているときの遮光性を高めることができる点で有効である。
【０００８】
しかしながら、特許文献１に開示される技法では、枠体の下面に取着された当該隙間防止部材は、錘部材（ウェイトバー）が巻き取り最終段階で当該隙間防止部材に対し衝突することに伴う課題として当該隙間防止部材が破損するおそれや異音発生のおそれのある構造をしており、改善の余地がある。
【０００９】
また、前述した特許文献２に開示される技法では、スクリーンの最大巻取径を超えて当該隙間防止部材が設置され、設置スペースが増大する。
【００１０】
したがって、錘部材（ウェイトバー）の隙間防止部材への接触を防止しつつ、設置スペースが増大しない構造で、巻取パイプと、この巻取パイプを支持する枠体の下面との間の隙間からの光漏れを抑制する工夫が望まれる。また、スクリーンが巻き取られた状態で隙間防止部材をコンパクト化することで梱包ケースを小さくしたいという要望もある。
【００１１】
ところで、このような隙間防止部材を巻取パイプと枠体の下面との間の隙間からの光漏れを抑制する光漏れ防止部材として構成するだけでなく、断熱・気密作用を持たせたい用途に適合させたいという要望もある。本願明細書中、光漏れ防止作用と断熱・気密作用を持たせた光漏れ防止部材を特に、従来技法とは区別するため「隙間遮蔽部材」と称する。
【００１２】
本発明の目的は、上述の問題に鑑みて、巻取パイプと、この巻取パイプを支持する枠体の下面との間の隙間からの光漏れを抑制する光漏れ防止部材又は隙間遮蔽部材を有するロールスクリーンを提供することにある。
【課題を解決するための手段】
【００１３】
本発明による第１態様のロールスクリーンは、スクリーンを昇降可能とするロールスクリーンであって、スクリーンを巻き取り可能に吊下支持する巻取手段と、前記巻取手段を支持する固定手段と、前記巻取手段と前記固定手段との間の隙間から生じる光漏れを抑制する光漏れ防止部材とを備え、前記光漏れ防止部材は、前記スクリーンの下端に設けられた錘部材に非接触となるよう、前記スクリーンの最大巻取径を超えない範囲で前記固定部材に支持されていることを特徴とする。
【００１４】
また、本発明による第１態様のロールスクリーンにおいて、前記光漏れ防止部材は、その基端部で前記固定手段の下面側で回動可能に軸支され、前記固定手段と対向する面とは反対の面で前記巻取手段の周面上のスクリーンと当接可能に構成されていることを特徴とする。
【００１５】
また、本発明による第１態様のロールスクリーンにおいて、前記光漏れ防止部材は、その基端部で前記固定手段の下面側端部縁近傍にて回動可能に軸支され、その先端部で、又は前記固定手段と対向する面で前記巻取手段の周面上のスクリーンと当接可能に構成されていることを特徴とする。
【００１６】
また、本発明による第１態様のロールスクリーンにおいて、前記光漏れ防止部材は、その本体部で前記固定手段の下面開口部にて略上下方向に移動可能に支持され、その先端部で前記巻取手段の周面上のスクリーンと当接可能に構成されていることを特徴とする。
【００１７】
また、本発明による第１態様のロールスクリーンにおいて、前記固定手段は、前記光漏れ防止部材の直線移動又は回動移動を支持する係合支持部を有することを特徴とする。
【００１８】
また、本発明による第１態様のロールスクリーンにおいて、前記光漏れ防止部材は、前記光漏れ防止部材の移動軌跡又は回転軌跡が前記錘部材の移動軌跡に重ならないように、巻取られる当該スクリーンに接触可能に構成され、前記錘部材が前記固定手段又は前記固定手段に取着された固定物に対し当接することにより当該スクリーンの巻取りが阻止可能に構成されていることを特徴とする。
【００１９】
また、本発明による第１態様のロールスクリーンにおいて、前記光漏れ防止部材は、前記固定手段に対して基端部が回動可能に軸支されて吊下され、該光漏れ防止部材が軸支される基端部の回動軸が、前記固定手段の側断面にて前記巻取手段の回転中心より非吊下側に設けられ、前記光漏れ防止部材の先端部の回転軌跡が前記固定手段の外縁より中心側に収まるようフレーム外縁より中心側に収まるよう構成されていることを特徴とする。
【００２０】
また、本発明による第１態様のロールスクリーンにおいて、前記光漏れ防止部材は、前記固定手段に対して基端部が回動可能に軸支されて吊下され、該光漏れ防止部材が軸支される基端部の回動軸が、前記固定手段の側断面にて前記巻取手段の回転中心より吊下側に設けられ、前記漏れ防止部材が軸支される基端部が前記固定手段の内部に配置され、前記光漏れ防止部材の先端部の回転軌跡が前記固定手段の外縁より中心側に収まるようフレーム外縁より中心側に収まるよう構成されていることを特徴とする。
【００２１】
更に、本発明による第２態様のロールスクリーンは、スクリーンを昇降可能とするロールスクリーンであって、スクリーンを巻き取り可能に吊下支持する巻取手段と、前記巻取手段を支持する固定手段と、前記巻取手段と前記固定手段との間の隙間から生じる光漏れを抑制する光漏れ防止部材とを備え、前記光漏れ防止部材は、上下方向に直線移動可能に前記固定手段に支持されていることを特徴とする。
【００２２】
更に、本発明による第３態様のロールスクリーンは、スクリーンを昇降可能とするロールスクリーンであって、スクリーンを巻き取り可能に吊下支持する巻取手段と、前記巻取手段を支持する固定手段と、前記巻取手段と前記固定手段との間の隙間から生じる光漏れを抑制する光漏れ防止部材とを備え、前記光漏れ防止部材は、前記固定手段に対し当該光漏れ防止部材の遮蔽面が出没可能に支持されていることを特徴とする。
【００２３】
また、本発明による第３態様のロールスクリーンにおいて、前記光漏れ防止部材の先端部が、前記スクリーンの巻き取りに伴い前記固定手段の内部に没入するよう構成されている特徴とする。
【００２４】
更に、本発明による第４態様のロールスクリーンは、スクリーンを昇降可能とするロールスクリーンであって、スクリーンを巻き取り可能に吊下支持する巻取手段と、前記巻取手段を支持する固定手段と、前記巻取手段と前記固定手段との間の隙間から生じる光漏れを抑制する光漏れ防止部材とを備え、前記光漏れ防止部材は、前記固定手段に対し移動可能に構成され、且つ前記固定手段との分離を防止する抜け止め構造を有することを特徴とする。
【００２５】
また、本発明による第４態様のロールスクリーンにおいて、前記光漏れ防止部材は、前記スクリーンの巻き取りに伴い弾性変形可能に構成されていることを特徴とする。
【００２６】
更に、本発明による第５態様のロールスクリーンは、スクリーンを昇降可能とするロールスクリーンであって、スクリーンを巻き取り可能に吊下支持する巻取手段と、前記巻取手段を支持する固定手段と、前記巻取手段と前記固定手段との間の隙間を遮蔽可能な複層構造の隙間遮蔽部材と、を備えることを特徴とする。
【００２７】
また、本発明による第５態様のロールスクリーンにおいて、前記複層構造の隙間遮蔽部材は、前後方向に並設される複数の光漏れ防止部材で構成されていることを特徴とする。
【００２８】
また、本発明による第５態様のロールスクリーンにおいて、前記複層構造の隙間遮蔽部材は、１以上の空間部を有する単一の光漏れ防止部材で構成されていることを特徴とする。
【００２９】
また、本発明による第５態様のロールスクリーンにおいて、前記光漏れ防止部材は、前記固定手段に対し直接又は間接的に回動可能に支持されていることを特徴とする。
【００３０】
また、本発明による第５態様のロールスクリーンにおいて、前記光漏れ防止部材は、可撓性材料で構成され、その上端が前記固定手段に対し直接又は間接的に回動不能に支持されていることを特徴とする。
【発明の効果】
【００３１】
本発明によれば、錘部材（ウェイトバー）との接触による破損を防止しつつ、設置スペースが増大しない構造で、巻取パイプと、この巻取パイプを支持する枠体の下面との間の隙間からの光漏れを抑制することができる。
【００３２】
特に、光漏れ防止部材を用いて、光漏れ防止作用と断熱・気密作用を持たせた隙間遮蔽部材を構成することもできる。
【図面の簡単な説明】
【００３３】
【図１】本発明による第１実施形態のロールスクリーンの概略構成を示す正面図である。
【図２】本発明による第１実施形態のロールスクリーンにおける光漏れ防止部材の構成を示す側面図である。
【図３】本発明による第１実施形態のロールスクリーンにおける梱包ケースの小型化を説明する側面図である。
【図４】（ａ）,（ｂ）は、それぞれ本発明による第１実施形態のロールスクリーンにおける光漏れ防止部材の変形例を示す側面図である。
【図５】本発明による第１実施形態のロールスクリーンにおける光漏れ防止部材の変形例を基に、光漏れ防止部材の移動軌跡を説明する側面図である。
【図６】本発明による第１実施形態のロールスクリーンにおける光漏れ防止部材の先端部を取付フレームの下面から出没可能に構成した例を示す側面図である。
【図７】本発明による第２実施形態のロールスクリーンにおける光漏れ防止部材の構成を示す側面図である。
【図８】本発明による第２実施形態のロールスクリーンにおける設置スペースの増大防止効果を説明する側面図である。
【図９】本発明による第３実施形態のロールスクリーンにおける光漏れ防止部材の構成を示す側面図である。
【図１０】（ａ）,（ｂ）は、それぞれ本発明による第３実施形態のロールスクリーンにおける光漏れ防止部材の変形例を示す側面図である。
【図１１】（ａ）,（ｂ）は、本発明による第４実施形態のロールスクリーンにおける光漏れ防止部材の構成を示す側面図であり、（ｃ）はその更なる変形例を説明する光漏れ防止部材の斜視図である。
【図１２】（ａ）,（ｂ），（ｃ）は、本発明による第５実施形態のロールスクリーンにおける光漏れ防止部材の構成と、その動作を説明する側面図である。
【図１３】本発明による第６実施形態のロールスクリーンにおける光漏れ防止部材の構成を示す側面図である。
【図１４】本発明による第７実施形態のロールスクリーンにおける光漏れ防止部材の構成を示す側面図である。
【図１５】（ａ），（ｂ）は、本発明による第８実施形態のロールスクリーンにおける光漏れ防止部材の構成を示す側面図である。
【図１６】（ａ），（ｂ）は、本発明による第９実施形態のロールスクリーンにおける光漏れ防止部材の構成を示す側面図である。
【発明を実施するための形態】
【００３４】
以下、図面を参照して、本発明による各実施形態のロールスクリーンを説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とし、ロールスクリーン１の前後方向と称するときは、図１の正面図における図示面に対して垂直な方向を云う。
【００３５】
包括的には、本発明に係る各実施形態のロールスクリーン１では、巻取パイプ３と、この巻取パイプ３を支持する枠体（取付フレーム２）の下面との間の隙間からの光漏れを抑制する光漏れ防止部材９が設けられ、この光漏れ防止部材９は、可動に取付フレーム２又は支持部材２ａ，２ｂに支持されるよう構成される。尚、以下に説明する「移動」は、「直線移動」及び「回動移動」を含む上位概念として包括的に表現している。よって、「可動」とは、「直線移動」又は「回動移動」を可能とする状態を云う。このように構成される各実施形態のロールスクリーン１について、以下、順に説明する。
【００３６】
〔第１実施形態〕
（全体構成）
まず、図１を参照して、本発明による第１実施形態のロールスクリーン１の構成を説明する。図１は、本発明による第１実施形態のロールスクリーン１の概略構成を示す正面図である。第１実施形態のロールスクリーン１では、巻取パイプ３と、取付フレーム２の下面との間の隙間からの光漏れを抑制する光漏れ防止部材９が設けられている。この光漏れ防止部材９の基端部９１は、取付フレーム２の下面側で回動可能に軸支され、光漏れ防止部材９がスクリーン４の錘部材（ウェイトバー５）に非接触となるよう構成される。
【００３７】
図１に示すロールスクリーン１は、取付フレーム２の両端に支持部材２ａ，２ｂが固定され、その支持部材２ａ，２ｂから延びる固定軸（図示せず）によって、支持部材２ａ，２ｂ間に円筒状の巻取パイプ３が回転可能に支持される。取付フレーム２は、ブラケット６により天井面等の取付面に固定される。
【００３８】
巻取パイプ３の右端部には操作プーリー８が設けられ、この操作プーリー８に掛回される無端状の操作コード７が垂下されている。そして、操作コード７の操作により巻取パイプ３を回転操作可能となるよう構成されている。尚、この操作コード７はボールチェーンでもよい。また、操作コード７を省略しウェイトバー５を引くことにより昇降させてもよい。
【００３９】
巻取パイプ３は、スクリーン４の一端を取着して巻き取り可能に吊下支持している。スクリーン４の他端は、錘部材として機能するウェイトバー５に取着されている。従って、スクリーン４はウェイトバー５の重量に基づいて張設される。
【００４０】
そして、操作コード７を操作して巻取パイプ３をスクリーン巻取り方向へ回転させるとウェイトバー５が上昇し、巻取パイプ３をスクリーン巻戻し方向へ回転させるとウェイトバー５が下降する。
【００４１】
また、巻取パイプ３内において、その左端側にはスクリーン４の巻上時の操作力を軽減するスプリングモーター、右端側にはスクリーン４の自重降下を防止するストッパー置等が収容されている（図示せず）。
【００４２】
ここで、本発明に係るロールスクリーン１では、光漏れ防止部材９が設けられ、その左右方向幅は、取付フレーム２の左右方向幅とほぼ同じ長さで延在している。そして、光漏れ防止部材９の基端部９１が取付フレーム２の下面側で回動可能に軸支され、スクリーン４の錘部材（ウェイトバー５）に非接触となるよう回動可能に構成され、巻取パイプ３と取付フレーム２との間で生じる隙間からの光漏れを効果的に遮蔽するようになっている。言い換えれば、遮光フィン９の移動軌跡がウェイトバー５の移動軌跡に重ならないように取付フレーム２に対しウェイトバー５が当接して巻取りを阻止するよう構成されている。さらに、遮光フィン９の回転軌跡がスクリーン４の最大巻取径を超えない範囲となっている。光漏れ防止部材９を取付フレーム２の下面側で回動可能に軸支するため、光漏れ防止部材９の基端部９１が丸軸で形成され、この基端部９１の丸軸が、支持部材２ａ，２ｂに設けられている支持孔２４により回転可能に支持されている。以下、図２を参照して、本実施形態の光漏れ防止部材９について詳細に説明する。
【００４３】
（第１実施形態の光漏れ防止部材）
図２は、本発明による第１実施形態のロールスクリーン１における光漏れ防止部材９の構成を示す側面図である。図２を参照するに、光漏れ防止部材９は、全体として略Ｌ字状の断面形状で取付フレーム２の左右方向幅とほぼ同じ長さで延在しており、丸軸で形成された光漏れ防止部材９の基端部９１が取付フレーム２の下面側で回動可能に軸支されている。図２に示す例では、この基端部９１の丸軸は支持部材２ａ，２ｂ内に取付フレーム２の左右端から挿入される。取付フレーム２は例えばアルミ形材で成形され、図２に図示するように２箇所にビスホール２ｃを設けている。このビスホール２ｃに対応する箇所に支持部材２ａ，２ｂにも支持孔２４が形成されビス打ちすることで固定される。この例では１つのビスホール２ｃを係合支持部２０として利用して基端部９１を軸支している。光漏れ防止部材９の横ずれは支持部材２ａ，２ｂにより防止される。光漏れ防止部材９は遮光性のあるものとし、例えば合成樹脂で形成されている。
【００４４】
このように、光漏れ防止部材９の回動を支持するよう取付フレーム２の下面には、その長手方向（左右方向）に延在する略Ｃ字断面形状の１つのビスホール２ｃも兼ねている係合支持部２０が形成されている。この係合支持部２０に光漏れ防止部材９の基端部９１が係合しており、これにより光漏れ防止部材９は、取付フレーム２の下面側で回動可能に支持される。また、光漏れ防止部材９の回動はスクリーン４を完全に下げた全閉状態と光漏れ防止部材９の先端部９２が取付フレーム２に当接する状態との間の回動範囲に規制されている。光漏れ防止部材９の先端部９２の移動軌跡は、ウェイトバー５の移動軌跡に重ならず取付フレーム２の外縁よりも中心方向の範囲に位置する。
【００４５】
図２において、巻取パイプ３によりスクリーン４が巻き取られることで上昇するウェイトバー５の上限位置は、取付フレーム２と当接する位置となり、このときのスクリーン４の最大巻取径がＷｍとして示されている。
【００４６】
そして、光漏れ防止部材９は、ウェイトバー５に非接触となり、且つスクリーン４の最大巻取径Ｗｍを超えない範囲で回動可能に構成されている。特に、本例の光漏れ防止部材９は、その基端部９１で取付フレーム２の下面側で回動可能に軸支され、当該取付フレーム２と対向する面とは反対の面で、巻取パイプ３の周面上のスクリーン４と当接可能となっている。つまり、光漏れ防止部材９は、その略板状の本体部から反りを持たせた先端部９２が形成されてスクリーン４と当接可能となっており、これにより、スクリーン４の巻取径に応じて光漏れ防止部材９を回動させることができる。また、ウェイトバー５が下限位置から取付フレーム２と当接する上限位置となるまで移動しても、光漏れ防止部材９は、ウェイトバー５とは接触しない。このため、ウェイトバー５との衝突による問題を解決することができる。更に、光漏れ防止部材９は、図示点線から矢印で示すように、スクリーン４の最大巻取径Ｗｍを超えない範囲で回動可能に構成されているため、光漏れ防止部材９の設置に起因する設置スペースの増大が生じない。更に、図３に示すように、スクリーン４が巻き取られた状態で光漏れ防止部材９をコンパクト化することで梱包ケースＰを小さくすることができる。
【００４７】
また、光漏れ防止部材９は光漏れの抑制機能を持つものであればよく、全体として略Ｌ字状の断面形状で形成せずとも、多角形状や複曲面形状とするなど適用するロールスクリーンの形態に応じた形状とすればよい。さらには、水平方向の直接入射光さえ遮る角度まで光漏れ防止部材９の先端部９２が下がっていればスクリーン４と光漏れ防止部材９が常時当接する関係になくともよく、スクリーン４の全閉状態で光漏れ防止部材９の先端部９２が巻取パイプ３又はスクリーン４に非接触としてもよい。係合支持部２０の開口部の部屋内側の突出長さを長くすることにより、光漏れ防止部材９の回動を所定の回動範囲に規制して支持するよう構成することができる。
【００４８】
また、図２に示す例では、光漏れ防止部材９の基端部９１を丸軸で構成し、支持部材２ａ，２ｂにより支持させ、取付フレーム２の係合支持部２０により光漏れ防止部材９の回動を支持するよう構成した例を示しているが、別の形状で構成することもできる。
【００４９】
例えば、図４（ａ）にて破線で側断面形状を図示するように、取付フレーム２の係合支持部２０が案内部２０ａ及び折曲軸２０ｂを有するよう構成し、光漏れ防止部材９の基端部９１を、この折曲軸２０ｂに掛合する略Ｃ字断面形状で長手方向（左右方向）に延在するよう構成してもよい。本例では、略Ｃ字断面形状の案内部２０ａと、略半円状に折り曲げて形成された折曲軸２０ｂにより、略Ｃ字断面形状の基端部９１の回動が案内されて支持され、更には光漏れ防止部材９の回動を所定の回動範囲に規制するようになっている。
【００５０】
或いはまた、図４（ｂ）にて破線で側断面形状を図示するように、取付フレーム２の係合支持部２０が案内部２０ａ及び丸軸２０ｃを有するよう構成し、光漏れ防止部材９の基端部９１を、この丸軸２０ｃに掛合する略Ｃ字断面形状で長手方向（左右方向）に延在するよう構成してもよい。本例では、略Ｃ字断面形状の案内部２０ａと、略円柱状の丸軸２０ｃにより、略Ｃ字断面形状の基端部９１の回動が支持され、更には光漏れ防止部材９の回動を所定の回動範囲に規制するようになっている。
【００５１】
これら図４（ａ），（ｂ）に示すように構成する場合も、光漏れ防止部材９は、ウェイトバー５とは接触しない長さとすることで、図示点線から矢印で示すように、ウェイトバー５に非接触となるよう回動してウェイトバー５との接触による破損を防止することができ、スクリーン４の最大巻取径を超えない範囲で回動可能に構成することで、光漏れ防止部材９の設置に起因する設置スペースの増大を生じないものとすることができる。
【００５２】
また、図５に示すように、取付フレーム２の係合支持部２０が案内部２０ａ及び折曲軸２０ｂを有するよう構成し、光漏れ防止部材９の基端部９１を、この折曲軸２０ｂに掛合する略Ｃ字断面形状で長手方向（左右方向）に延在するよう構成してもよい。図２乃至図５に示すいずれの態様においても、光漏れ防止部材９の回動はスクリーン４を完全に下げた全閉状態と光漏れ防止部材９の先端部９２が取付フレーム２に当接する状態との間の回動範囲に規制されている。そして、代表して図５で図示するように、光漏れ防止部材９の先端部９２の移動軌跡Ｒ１は、ウェイトバー５の移動軌跡Ｒ２に重なることなく取付フレーム２の外縁Ｌよりも中心方向の範囲に位置する。
【００５３】
また、図６に例示するように、光漏れ防止部材９の先端部９２が取付フレーム２の下面に設けられた開口部２１を経て出没可能に回動させるよう構成することができる。これにより、例えば、最大巻取径の状態にあるスクリーン４と、取付フレーム２の下面との隙間が狭いが光漏れを防止したい用途に対して、本実施形態に係る光漏れ防止部材９を適用することができる。尚、図６では、その作用・効果を強調するべく光漏れ防止部材９の先端部９２をより長尺に図示しているが、この先端部９２の長さはその用途に応じて定めればよい。特に、スクリーン４の最小巻取径となる状態（即ち、巻取パイプ３と同径の状態）でも、巻取パイプ３と取付フレーム２の下面との間の隙間を２層構造でほぼ完全に塞ぐことができる。尚、当該隙間を２層構造で完全に塞ぐことができるよう光漏れ防止部材９の先端部９２にゴム材などの弾性変形可能な当接部材（図示せず）を取着して、常時、取付フレーム２と当接した状態を維持するよう構成することもできる。
【００５４】
このように、本発明による第１実施形態のロールスクリーン１における光漏れ防止部材９によれば、光漏れ防止部材９の基端部９１が取付フレーム２の下面側で回動可能に軸支され、スクリーン４のウェイトバー５に非接触となるよう構成され、言い換えれば光漏れ防止部材９の先端の移動軌跡はウェイトバー５の移動軌跡に重ならないよう構成されるため、ウェイトバー５との接触による破損を防止することができ、巻き取り時のスクリーン４の最大巻取径を超えない範囲で回動可能に構成されるため光漏れ防止部材９の設置に起因する設置スペースの増大を生じないものとすることができる。
【００５５】
〔第２実施形態〕
次に、図７を参照して、本発明による第２実施形態のロールスクリーン１の構成を説明する。図７は、本発明による第２実施形態のロールスクリーン１における光漏れ防止部材９の構成を示す側面図である。尚、第１実施形態と同様な構成要素には同一の参照番号を付しており、本発明による第２実施形態のロールスクリーン１の全体構成は、光漏れ防止部材９に係る構成を除き、前述した図１とほぼ同様であることから、その更なる説明は省略する。
【００５６】
第２実施形態のロールスクリーン１では、巻取パイプ３と、取付フレーム２の下面との間の隙間からの光漏れを抑制する光漏れ防止部材９が設けられており、この光漏れ防止部材９の基端部９１が取付フレーム２の下面側前端縁近傍にて回動可能に軸支され、光漏れ防止部材９がスクリーン４の錘部材（ウェイトバー５）に非接触となるよう、スクリーン４の最大巻取径を超えない範囲で回動可能に構成される。
【００５７】
（第２実施形態の光漏れ防止部材）
図７を参照するに、光漏れ防止部材９は、全体として略Ｉ字状の断面形状で取付フレーム２の左右方向幅とほぼ同じ長さで延在しており、丸軸で形成された光漏れ防止部材９の基端部９１が取付フレーム２の下面側前端縁近傍にて回動可能に軸支されている。この丸軸が、支持部材２ａ，２ｂにより支持される。光漏れ防止部材９は遮光性のあるものとし、例えば合成樹脂で形成されている。
【００５８】
また、光漏れ防止部材９の回動を支持するよう取付フレーム２の下面側前端縁近傍には、その長手方向（左右方向）に延在する略Ｃ字断面形状の係合支持部２０が形成されている。この係合支持部２０に光漏れ防止部材９の基端部９１が係合しており、これにより光漏れ防止部材９は、取付フレーム２の下面側で回動可能に支持される。また、係合支持部２０は、光漏れ防止部材９の回動を所定の回動範囲に規制させた構成とすることもできる。
【００５９】
図７において、巻取パイプ３によりスクリーン４が巻き取られることで上昇するウェイトバー５の上限位置は、取付フレーム２と当接する位置となり、このときのスクリーン４の最大巻取径がＷｍとして示されている。
【００６０】
そして、本実施形態の光漏れ防止部材９においても、ウェイトバー５に非接触となるよう構成され、且つスクリーン４の最大巻取径Ｗｍを超えない範囲で回動可能に構成されている。特に、本例の光漏れ防止部材９は、その基端部９１で取付フレーム２の下面側端部縁近傍にて回動可能に軸支され、その先端部９２で、巻取パイプ３の周面上のスクリーン４と当接可能となっている。つまり、光漏れ防止部材９は、その略板状の本体部に対して丸軸の先端部９２が形成されてスクリーン４と当接可能となっており、これにより、スクリーン４の巻取径に応じて光漏れ防止部材９を回動させることができる。尚、本例の、光漏れ防止部材９において、取付フレーム２と対向する面で、巻取パイプ３の周面上のスクリーン４と当接可能に構成してもよい。また、ウェイトバー５が下限位置から取付フレーム２と当接する上限位置となるまで移動しても、光漏れ防止部材９は、その回転軸芯をフレーム断面において巻取軸の回転軸芯より非吊下側に設け、スクリーンの非吊下側面に接触させる構成であるため、図示点線から矢印で示すように、ウェイトバー５とは常時非接触である。更に、光漏れ防止部材９は、スクリーン４の最大巻取径Ｗｍを超えない範囲で回動可能に構成されているため、光漏れ防止部材９の設置に起因する設置スペースの増大が生じない。
【００６１】
また、光漏れ防止部材９は光漏れの防止機能を持つものであればよく、全体として略Ｉ字状の断面形状で形成せずとも、多角形状や複曲面形状とするなど適用するロールスクリーンの形態に応じた形状とすればよい。そして、本実施形態においても、必要に応じて、ウェイトバー５が下限位置にあるときにスクリーン４と光漏れ防止部材９が非接触となるよう、係合支持部２０により回動範囲を規制させた構成とすることもできる。従って、スクリーン４と光漏れ防止部材９が常時当接する関係になくともよく、係合支持部２０は、光漏れ防止部材９の回動を所定の回動範囲に規制して支持するよう構成することができる。
【００６２】
また、図７に示す例では、光漏れ防止部材９の基端部９１を丸軸で構成し、支持部材２ａ，２ｂにより支持させ、取付フレーム２の係合支持部２０により光漏れ防止部材９の回動を支持するよう構成した例を示しているが、第１実施形態における図４（ａ），（ｂ）又は図５にて例示したように光漏れ防止部材９の基端部９１を回動可能に軸支するよう構成することもできる。
【００６３】
このように、本発明による第２実施形態のロールスクリーン１における光漏れ防止部材９によれば、光漏れ防止部材９の基端部９１が取付フレーム２の下面側前端縁近傍にて回動可能に軸支され、ウェイトバー５に非接触となるよう構成され、且つスクリーン４の最大巻取径を超えない範囲で回動可能に構成されるため、ウェイトバー５との接触による破損を防止することができ、光漏れ防止部材９の設置に起因する設置スペースの増大を生じないものとすることができる。
【００６４】
また、第１及び第２実施形態のロールスクリーン１であれば、光漏れ防止部材９の基端部９１がウェイトバー５に非接触となるよう構成され、且つスクリーン４の最大巻取径Ｗｍを超えない範囲で回動可能に構成されるため、例えば代表して第２実施形態のロールスクリーン１について図８に示すように、光漏れ防止部材９の設置とは無関係に、最大設置スペースＨは、ウェイトバー５の移動軌跡を考量した最大巻取径Ｗｍに依存するものとなり、カーテンボックスＳなど狭い場所に取り付けることも可能となる。
【００６５】
〔第３実施形態〕
次に、図９を参照して、本発明による第３実施形態のロールスクリーン１の構成を説明する。図９は、本発明による第３実施形態のロールスクリーン１における光漏れ防止部材９の構成を示す側面図である。尚、第１実施形態と同様な構成要素には同一の参照番号を付しており、本発明による第３実施形態のロールスクリーン１の全体構成は、光漏れ防止部材９に係る構成を除き、前述した図１とほぼ同様であることから、その更なる説明は省略する。
【００６６】
第３実施形態のロールスクリーン１では、巻取パイプ３と、取付フレーム２の下面との間の隙間からの光漏れを抑制する光漏れ防止部材９が設けられ、この光漏れ防止部材９の本体部が取付フレーム２の下面開口部２０ｄを形成する係合支持部２０で移動可能に支持される。
【００６７】
（第３実施形態の光漏れ防止部材）
図９を参照するに、光漏れ防止部材９は、全体として略Ｕ字状の断面形状で取付フレーム２の左右方向幅とほぼ同じ長さで延在しており、光漏れ防止部材９の本体部が取付フレーム２の下面開口部２０ｄを形成する係合支持部２０で上下方向に移動可能に支持されている。この光漏れ防止部材９の上下動は、光漏れ防止部材９の基端部９１が、その本体部からそれぞれ前後方向に突出する突出片を有し、この基端部９１同士の幅が取付フレーム２の内下面に形成された基端部９１同士の幅より狭い溝と当接することで規制され取付フレーム２から分離することを阻止する（抜け止め構造）。取付フレーム２の上面は光漏れ防止部材９の上方への移動を阻止するよう構成される。尚、本例では、光漏れ防止部材９を取付フレーム２により可動に支持する例を示しているが、基端部９１に形成される突出片を光漏れ防止部材９の左右両端部からわずかに突出させ、支持部材２ａ，２ｂにより支持させてもよい。光漏れ防止部材９は遮光性のあるものとし、例えば合成樹脂で形成されている。
【００６８】
本例の係合支持部２０は、光漏れ防止部材９の移動を支持するよう取付フレーム２の下面開口部２０ｄにて起立して設けられた略Ｃ字断面形状の案内支持片２０ｅにより構成される。図５に示す案内支持片２０ｅは、元より取付ネジにより取付フレーム２を支持部材２ａ，２ｂに固定する際の螺合片（図２に示すビスホール２ｃと同様）として形成されているものを利用したものであるが、係合支持部２０は、取付フレーム２の下面開口部２０ｄにて光漏れ防止部材９の移動を支持するよう形成したものであれば、任意の形態とすることができる。
【００６９】
従って、本例の係合支持部２０は、案内支持片２０ｅが形成された下面開口部２０ｄにより構成され、光漏れ防止部材９の本体部と係合しており、これにより光漏れ防止部材９は、取付フレーム２の下面側で上下方向に移動可能に、言い換えれば取付フレーム２に対し出没可能に支持される。また、この案内支持片２０ｅにより、光漏れ防止部材９における基端部９１と当接可能にして、光漏れ防止部材９の移動を所定の移動範囲に規制することができる。
【００７０】
図９において、巻取パイプ３によりスクリーン４が巻き取られることで上昇するウェイトバー５の上限位置は、取付フレーム２と当接する位置となる。
【００７１】
そして、本実施形態の光漏れ防止部材９においても、ウェイトバー５に非接触となるよう構成され、且つスクリーン４の最大巻取径を超えない範囲で移動可能に構成されている。その移動軌跡はフレーム外縁より中心側に収められている。特に、本例の光漏れ防止部材９は、取付フレーム２の係合支持部２０（即ち、案内支持片２０ｅを有する下面開口部２０ｄ）にて上下方向に移動可能に支持され、先端部９２で、巻取パイプ３の周面上のスクリーン４と当接可能となっている。つまり、光漏れ防止部材９は、先端部９２（略Ｕ字状の本体部の底面）がスクリーン４と当接可能となっており、これにより、スクリーン４の巻取径に応じて光漏れ防止部材９を上下方向に移動させることができる。従って、ウェイトバー５が下限位置から取付フレーム２と当接する上限位置となるまで移動しても、光漏れ防止部材９は、図示点線から矢印で示すように、ウェイトバー５とは常時非接触である。更に、光漏れ防止部材９は、スクリーン４の最大巻取径を超えることなく移動可能に構成されているため、光漏れ防止部材９の設置に起因する設置スペースの増大が生じない。また、遮光面は複層であるので遮光性が高まるようになる。
【００７２】
また、光漏れ防止部材９は光漏れの抑制機能を持つものであればよく、全体として略Ｕ字状の断面形状で形成せずとも、適用するロールスクリーンの形態に応じた形状とすればよい。
【００７３】
例えば、図１０（ａ）に示すように、光漏れ防止部材９を、遮光面を単層で構成してもよい。抜け止め構造は丸軸状の基端部９１とそれより狭く形成された取付フレーム２の溝としてもよい。鑓状の先端部９２により全体として略碇断面形状で長手方向（左右方向）に延在するよう構成してもよい。この場合も、係合支持部２０は、図９に示す例とほぼ同様に、取付フレーム２の下面開口部２０ｄにて起立して形成した案内支持片２０ｅにより光漏れ防止部材９の本体部と係合しており、これにより光漏れ防止部材９は、取付フレーム２の下面側で上下方向に移動可能に支持される。また、この案内支持片２０ｅにより、光漏れ防止部材９における基端部９１と当接可能にして、光漏れ防止部材９の移動を所定の移動範囲に規制することができる。
【００７４】
或いはまた、図１０（ｂ）に示すように、図９に示す例の変形例として、斜めに傾斜させた形状とした光漏れ防止部材９を、ウェイトバーの移動軌跡と重ならない光漏れ防止部材９の移動軌跡にて取付フレーム２の下面側で上下方向（斜め上方及び斜め下方）に移動可能に支持するよう構成することもできる。
【００７５】
このように、本発明による第３実施形態のロールスクリーン１における光漏れ防止部材９によれば、光漏れ防止部材９の本体部が取付フレーム２の下面開口部２０ｄを形成する係合支持部２０で上下方向に移動可能に支持され、ウェイトバー５に非接触となるよう、スクリーン４の最大巻取径を超えない範囲で移動可能に構成されるため、ウェイトバー５との接触による破損を防止することができ、光漏れ防止部材９の設置に起因する設置スペースの増大を生じないものとすることができる。
【００７６】
そして、各実施形態において、光漏れ防止部材９の先端部９２は、スクリーン４との接触により当該移動（上下動や回動を含む移動）を誘導するよう曲面（丸軸を含む）で形成するのが好適である。
【００７７】
〔第４実施形態〕
次に、図１１を参照して、本発明による第４実施形態のロールスクリーン１の構成を説明する。図１１（ａ）,（ｂ）は、本発明による第４実施形態のロールスクリーン１における光漏れ防止部材９の構成を示す側面図であり、図１１（ｃ）はその更なる変形例を説明する光漏れ防止部材９の斜視図である。尚、第１実施形態と同様な構成要素には同一の参照番号を付しており、本発明による第４実施形態のロールスクリーン１の全体構成は、光漏れ防止部材９に係る構成を除き、前述した図１とほぼ同様であることから、その更なる説明は省略する。
【００７８】
図１１（ａ）,（ｂ）に示す光漏れ防止部材９は、その基端部９１が本体部９０から起立する板状に形成されており、基端部９１及び本体部９０が硬質材料で形成されているのに対して、光漏れ防止部材９の先端部９２は、弾性変形可能な板状フィンとして軟質材料で形成されている。このような先端部９２は、本体部９０に別部材で嵌合・接着等で固着させてもよいが、光漏れ防止部材９を２色成形により一体化させた態様で形成することができる。より具体的には、図１１（ａ）に示すように、板状の基端部９１には、上下方向に延びる長孔９１ａ（Ａ視参照）が、光漏れ防止部材９の長手方向（即ち、ロールスクリーン１の左右方向）にて複数個所に設けられている。そして、この長孔９１ａと対応する位置で、取付フレーム２の一側面（図示する例では背面側の側面）にビス孔２２が複数個所に設けられており、長孔９１ａを介してビス孔２２に固定される支持ビス１００により、光漏れ防止部材９の板状の基端部９１が取付フレーム２の一側面に沿って上下方向に移動可能に支持される。即ち、支持ビス１００が、光漏れ防止部材９を移動可能に支持する軸部１０１を形成している。
【００７９】
図１１（ａ）,（ｂ）に示す光漏れ防止部材９の先端部９２は、弾性変形可能な軟質材料でフィン状に形成され、長孔９１ａからの光漏れを防止するようその先端部９２が常時取付フレーム２の底面に当接するよう構成されている。例えば、図１１（ａ）に示すスクリーン４の全閉状態では、支持ビス１００（軸部１０１）が長孔９１ａの上端に位置しており（Ａ視参照）、本体部９０の下面に設けられた突起部９０ａがスクリーン４に当接した状態で、先端部９２が取付フレーム２の底面に当接している。本体部９０の下面に設けられた突起部９０ａがスクリーン４に当接しているため、この全閉状態から巻取パイプ３によりスクリーン４の巻取りを開始すると（図１１（ａ）に示す実線矢印）、本体部９０も上方に移動する（図１１（ａ）に示す破線矢印）。そして、ウェイトバー５が上限位置になると、図１１（ｂ）に示すように、支持ビス１００（軸部１０１）が長孔９１ａの下端に位置する（Ｂ視参照）。すると、光漏れ防止部材９の先端部９２は、取付フレーム２の底面への当接を維持して弾性変形する。巻取パイプ３によるスクリーン４の巻き戻しにより図１１（ａ）に示す全閉状態となると、図１１（ａ）に示す状態に戻る。尚、ウェイトバー５が上限位置になるとき、図１１（ｂ）に示すように、ウェイトバー５は支持ビス１００のビス頭部に対しては当接可能であるが、光漏れ防止部材９には当接しないようになっている。
【００８０】
このように、本発明による第４実施形態のロールスクリーン１における光漏れ防止部材９においても、ウェイトバー５に非接触となるよう、スクリーン４の最大巻取径を超えない範囲で移動可能に構成されるため、ウェイトバー５との接触による破損を防止することができ、光漏れ防止部材９の設置に起因する設置スペースの増大を生じないものとすることができる。そして、上述した各実施形態の梱包等の作用・効果も同様に生じさせることができる。
【００８１】
尚、図１１（ａ）,（ｂ）に示す例では、支持ビス１００により取付フレーム２の軸部１０１を形成する例を説明したが、光漏れ防止部材９を移動可能に支持することが可能な形態であれば、別の固定形態としてもよい。例えば、支持ビス１００により軸部１０１を形成する代わりに、取付フレーム２の一側面から突出するよう棒状片１０１ａを形成しておき、図１１（ｃ）に示すように、この棒状片１０１ａと係合して上下移動を支持（即ち、案内）するスライド用溝９１ｂを有するように支持機構９１ｃを光漏れ防止部材９の板状の基端部９１に設けるように構成することができる。この場合、長孔９１ａが基端部９１に形成されないため、図１１（ａ）,（ｂ）に示すようなフィン状の先端部９２の形成は省略してもよい。従って、ウェイトバー５は、取付フレーム２における支持ビス１００や棒状片１０１ａ等の固定物に対しては当接可能であるが、光漏れ防止部材９には当接しないように構成することができる。
【００８２】
〔第５実施形態〕
次に、図１２を参照して、本発明による第５実施形態のロールスクリーン１の構成を説明する。図１２（ａ）,（ｂ），（ｃ）は、本発明による第５実施形態のロールスクリーン１における光漏れ防止部材９の構成と、その動作を説明する側面図である。尚、第１実施形態と同様な構成要素には同一の参照番号を付しており、本発明による第５実施形態のロールスクリーン１の全体構成は、光漏れ防止部材９に係る構成を除き、前述した図１とほぼ同様であることから、その更なる説明は省略する。
【００８３】
図１２に示す光漏れ防止部材９は、弾性を有する板状部材で形成され、変形により移動するよう構成された部材である。本例の板状部材で形成される光漏れ防止部材９は、その両辺に、丸軸状の基端部９１が形成されている。各基端部９１は、取付フレーム２の前後方向の２箇所に設けられた下面開口部２０ｄに設けられた係合支持部２０により移動可能に支持される。即ち、この係合支持部２０は、光漏れ防止部材９の移動を支持（即ち、案内）するよう、取付フレーム２の中央から下面開口部２０ｄに延びる逆Ｙ字状の案内支持片２０ｅと、略Ｃ字断面形状の螺合片（図２に示すビスホール２ｃと同様）とにより構成されている。尚、係合支持部２０は、取付フレーム２の下面開口部２０ｄにて光漏れ防止部材９の移動を支持（即ち、案内）するよう形成したものであれば、任意の形態とすることができる。
【００８４】
そして、図１２に示す光漏れ防止部材９は、弾性を有する板状部材で形成されているため、変形により移動することができるようになっている。例えば、図１２（ａ）はスクリーン４の全閉状態、図１２（ｂ）はスクリーン４の巻取り途中状態、図１２（ｃ）はスクリーン４の全開状態を示している。スクリーン４が全閉状態から全開状態になるほど、スクリーン４と当接する光漏れ防止部材９が大きく弾性変形し、全開状態から全閉状態になると、元の状態に（即ち、図１２（ａ）に示す状態）に回復するようになっている。
【００８５】
このように、本発明による第５実施形態のロールスクリーン１における光漏れ防止部材９においても、ウェイトバー５に非接触となるよう、スクリーン４の最大巻取径を超えない範囲で移動可能に構成されるため、ウェイトバー５との接触による破損を防止することができ、光漏れ防止部材９の設置に起因する設置スペースの増大を生じないものとすることができる。そして、上述した各実施形態の梱包等の作用・効果も同様に生じさせることができる。
【００８６】
（隙間遮蔽部材）
ところで、上述した図６、図９、図１０（ｂ）、図１１及び図１２に示した各実施形態における光漏れ防止部材９は、巻取パイプ３と取付フレーム２の下面との間の隙間を２層構造でほぼ完全に塞ぐことができるため、当該光漏れ防止作用と、断熱・気密作用を持たせた隙間遮蔽部材として機能する。
【００８７】
そして、上述した各実施形態における光漏れ防止部材９を更に応用して、光漏れ防止作用と断熱・気密作用を持たせた隙間遮蔽部材として機能するよう様々な別の実施形態を構成することができ、以下、その典型的な例を幾つか説明する。
【００８８】
〔第６実施形態〕
図１３は、本発明による第６実施形態のロールスクリーン１における光漏れ防止部材９の構成を示す側面図である。尚、上述と同様な構成要素には同一の参照番号を付している。
【００８９】
図１３に示す第６実施形態における２つの光漏れ防止部材９は、図７に示す第２実施形態を基に、当該光漏れ防止作用と、断熱・気密作用を持たせた隙間遮蔽部材として機能するよう応用した例である。即ち、図１３に示す第６実施形態では、図７に示す第２実施形態に係る光漏れ防止部材９が取付フレーム２の前後方向の２箇所に設けられている。この光漏れ防止部材９は、第２実施形態と同様に、全体として略Ｉ字状の断面形状で取付フレーム２の左右方向幅とほぼ同じ長さで延在しており、丸軸で形成された光漏れ防止部材９の基端部９１が取付フレーム２の下面側の前後縁近傍の２箇所の係合支持部２０にてそれぞれ回動可能に軸支されている。
【００９０】
また、本例ではボールチェーンで構成した操作コード７上に移動制限部材７ａを取着しており、ウェイトバー５の上限位置が図示するようにスクリーン４に近接又は当接する位置となるよう、この移動制限部材７ａにより操作プーリー８等に当接させてその回転を停止させ、ウェイトバー５の更なる上昇を阻止している。
【００９１】
これにより、第６実施形態では、２つの光漏れ防止部材９を用いて、巻取パイプ３と取付フレーム２の下面との間の隙間を２層構造でほぼ完全に塞ぐことができ、光漏れ防止作用と断熱・気密作用を持たせることができる。
【００９２】
尚、第２実施形態の例でも説明したように、光漏れ防止部材９の基端部９１は、丸軸とする以外にも様々な構造とすることができ、例えば図４（ａ），（ｂ）又は図５にて例示したような構造としてもよい。
【００９３】
〔第７実施形態〕
図１４は、本発明による第７実施形態のロールスクリーン１における光漏れ防止部材９の構成を示す側面図である。尚、上述と同様な構成要素には同一の参照番号を付している。
【００９４】
図１４に示す第７実施形態における２つの光漏れ防止部材９は、図１３に示す第６実施形態の変形例として構成される。即ち、図１４に示す第７実施形態では、光漏れ防止部材９を可撓性材料（例えば生地）で構成し、２つの光漏れ防止部材９の各上端をそれぞれの係止部材９３により取付フレーム２の前後方向の２箇所の係合支持部２０で係止することで、各光漏れ防止部材９を吊下支持している。本例の係止部材９３は、係合支持部２０で可撓性材料の光漏れ防止部材９の上端を挟み込み係止する丸軸を持ち略Ｔ字断面形状で取付フレーム２の左右方向幅とほぼ同じ長さで延在する外形形状を有する例を示しているがこれに限定する必要はない。
【００９５】
本実施形態の光漏れ防止部材９は、スクリーン４の巻取径に倣って密着し、特に、スクリーン４の最小巻取径となる状態（即ち、巻取パイプ３と同径の状態）でも、巻取パイプ３と取付フレーム２の下面との間の隙間を２層構造でほぼ完全に塞ぐことができる。
【００９６】
これにより、第７実施形態では、可撓性材料よりなる２つの光漏れ防止部材９を用いて、巻取パイプ３と取付フレーム２の下面との間の隙間を２層構造でほぼ完全に塞ぐことができ、光漏れ防止作用と断熱・気密作用を持たせることができる。
【００９７】
尚、係止部材９３の形状・材質や係合支持部２０の形状・位置は任意に構成することができる。
【００９８】
〔第８実施形態〕
図１５（ａ）は、本発明による第８実施形態のロールスクリーン１における光漏れ防止部材９の構成を示す側面図であり、図１５（ｂ）は、その光漏れ防止部材９の部分拡大図である。尚、上述と同様な構成要素には同一の参照番号を付している。
【００９９】
図１５（ａ）に示す第８実施形態における光漏れ防止部材９は、図７に示す第２実施形態における光漏れ防止部材９の変形例として、当該光漏れ防止作用と断熱・気密作用を持たせた隙間遮蔽部材として機能するよう応用した例である。即ち、第８実施形態における光漏れ防止部材９は、それ自体が２層構造を有するように構成されている。
【０１００】
より具体的に、第８実施形態に係る光漏れ防止部材９は、図１５（ｂ）に示すように、巻取パイプ３と取付フレーム２の下面との間の隙間を塞ぐため軸部９１から板状に延びる遮蔽板部９４が形成され、その下端にはスクリーン４等との干渉を緩和可能とする曲面状端部９５が形成されている。
【０１０１】
また、遮蔽板部９４の前面上端及び下端に、それぞれ略鉤断面形状で突出する突起片９６ａ，９６ｂが設けられ、生地１３の上端及び下端を係合させる凹部を形成している。特に、遮蔽板部９４の前面上端には、突起片９６ａの内側に爪部９９が形成されており、突起片９６ａ及び爪部９９は生地押さえとして機能する掴持手段として構成される。一方、遮蔽板部９４の前面下端における突起片９６ｂは、生地１３のバタツキを抑えるための部位である。突起片９６ａ，９６ｂの形成により、生地１３と遮蔽板部９４との間には、空間部Ｓが形成される。このように、第８実施形態に係る光漏れ防止部材９は、それ自体が２層構造を有する。尚、この空間部Ｓを確実に形成するために、突起片９６ｂの内側にも爪部９９を形成して、生地１３を掴持するように構成することもできる。また、生地１３とする代わりに板状部材とすることや、空間部Ｓを有するように光漏れ防止部材９を形成してもよい。即ち、空間部Ｓを構造的に設けた光漏れ防止部材９であればよい。
【０１０２】
これにより、第８実施形態では、単一の光漏れ防止部材９を用いて、巻取パイプ３と取付フレーム２の下面との間の隙間を２層構造でほぼ完全に塞ぐことができ、光漏れ防止作用と断熱・気密作用を持たせることができる。
【０１０３】
尚、本実施形態においても、光漏れ防止部材９の基端部９１は、丸軸とする以外にも様々な構造とすることができ、例えば図４（ａ），（ｂ）又は図５にて例示したような構造としてもよい。
【０１０４】
〔第９実施形態〕
図１６（ａ）は、本発明による第９実施形態のロールスクリーン１における光漏れ防止部材９の構成を示す側面図であり、図１６（ｂ）は、その光漏れ防止部材９の部分拡大図である。尚、上述と同様な構成要素には同一の参照番号を付している。
【０１０５】
図１６（ａ）に示す第９実施形態における光漏れ防止部材９は、図１５（ａ）に示す第８実施形態における光漏れ防止部材９の変形例として、当該光漏れ防止作用と断熱・気密作用を持たせた隙間遮蔽部材として機能するよう応用した例である。即ち、第９実施形態に係る光漏れ防止部材９は、それ自体が３層構造を有するように構成されている。
【０１０６】
より具体的に、第９実施形態に係る光漏れ防止部材９は、図１６（ｂ）に示すように、巻取パイプ３と取付フレーム２の下面との間の隙間を塞ぐため軸部９１から板状に延びる遮蔽板部９４が形成され、その下端にはスクリーン４等の干渉を緩和可能とする曲面状端部９５が形成されている。
【０１０７】
また、遮蔽板部９４の前面上端及び下端に、それぞれ略鉤断面形状で突出する突起片９６ａ，９６ｂが２組設けられ、２枚の生地１３の上端及び下端をそれぞれ係合させる凹部を形成している。特に、遮蔽板部９４の前面上端には、各突起片９６ａにそれぞれ爪部９９が形成されており、２枚の生地１３の上端をそれぞれ掴持するようになっている。これにより、２枚の生地１３及び遮蔽板部９４により、２つの空間部Ｓが形成される。このように、第９実施形態に係る光漏れ防止部材９は、それ自体が３層構造を有する。尚、この２つの空間部Ｓを確実に形成するために、２つの突起片９６ｂの内側にもそれぞれ爪部９９を形成して、２つの生地１３をそれぞれ掴持するように構成することもできる。また、生地１３とする代わりに板状部材とすることや、複数の空間部Ｓを有するように光漏れ防止部材９を形成してもよい。即ち、複数の空間部Ｓを構造的に設けた光漏れ防止部材９であればよい。
【０１０８】
従って、第８及び第９実施形態で示されるように、単一の光漏れ防止部材９を用いて、巻取パイプ３と取付フレーム２の下面との間の隙間を２層以上の複層構造でほぼ完全に塞ぐことができ、光漏れ防止作用と断熱・気密作用を持たせることができる。
【０１０９】
尚、本実施形態においても、光漏れ防止部材９の基端部９１は、丸軸とする以外にも様々な構造とすることができ、例えば図４（ａ），（ｂ）又は図５にて例示したような構造としてもよい。
【０１１０】
また、第８及び第９実施形態を更に応用して、取付フレーム２の前後方向の２箇所の係合支持部２０で係止することで、より複層構造化した隙間遮蔽部材を有するロールスクリーン１を構成することもできる。
【０１１１】
以上のように、巻取パイプ３と取付フレーム２の下面との間の隙間を複層構造でほぼ完全に塞ぐことができるよう隙間遮蔽部材として機能する光漏れ防止部材９を構成することができる。
【０１１２】
以上、特定の実施形態の例を挙げて本発明を説明したが、本発明は前述の実施形態の例に限定されるものではなく、その技術思想を逸脱しない範囲で種々変形可能である。例えば、単一の光漏れ防止部材９を有する各実施形態において、主に、スクリーン４を巻取パイプ３の室外側から垂下するロールスクリーンに、本発明に係る光漏れ防止部材９を適用する例を説明したが、本発明に係る光漏れ防止部材９は、スクリーン４を巻取パイプ３の室内側から垂下するロールスクリーンにも適用して構成することができる。
【０１１３】
また、上述した第１乃至第９実施形態の例では、光漏れ防止部材９を単一部材で構成した例を説明したが、上述した作用・効果を生じさせる限りにおいて、光漏れ防止部材９を屈曲可能な部材で構成してもよいし、更には、屈曲可能に複数部材を連結したものとしてもよい。
【０１１４】
また、上述した第１乃至第９実施形態の例では、主に、光漏れ防止部材９を取付フレーム２の係合支持部２０により係合させて移動又は回動、或いは固定に支持する例を説明したが、支持部材２ａ，２ｂにより支持する構成とすることができる。従って、上述した第１乃至第９実施形態における光漏れ防止部材９は、取付フレーム２に対し直接又は間接的に支持されるものであればよい。
【産業上の利用可能性】
【０１１５】
本発明によれば、巻取パイプと取付フレームとの間で生じる隙間からの光漏れを効果的に遮蔽することができる光漏れ防止部材を構成できるので、任意の形態のロールスクリーンの用途に有用である。
【符号の説明】
【０１１６】
１  ロールスクリーン
２  取付フレーム
２ａ，２ｂ  支持部材
３  巻取りパイプ
４  スクリーン
５  ウェイトバー
９  光漏れ防止部材
９１  基端部
９２  先端部
２０  係合支持部
２０ａ  案内部
２０ｂ  折曲軸
２０ｃ  丸軸
２０ｄ  下面開口部
２０ｅ  案内支持片
２４  支持孔
【図１】
2016211361.tif 000003
【図２】
2016211361.tif 000004
【図３】
2016211361.tif 000005
【図４】
2016211361.tif 000006
【図５】
2016211361.tif 000007
【図６】
2016211361.tif 000008
【図７】
2016211361.tif 000009
【図８】
2016211361.tif 000010
【図９】
2016211361.tif 000011
【図１０】
2016211361.tif 000012
【図１１】
2016211361.tif 000013
【図１２】
2016211361.tif 000014
【図１３】
2016211361.tif 000015
【図１４】
2016211361.tif 000016
【図１５】
2016211361.tif 000017
【図１６】
2016211361.tif 000018